(57)【要約】【課題】ドレンを受ける蒸発トレーの出し入れの作業性を良くした冷蔵ショーケースを提供する。【解決手段】ケース本体１は、貯蔵室２の下方に区画形成された機械室３を有する。機械室３に、浅皿状の蒸発トレー２０が位置決めセットされる。機械室３に設置した蒸発トレー２０に、貯蔵室２からのドレンが導出される。機械室３の前面には、蒸発トレー２０の設置領域に臨む開口部分を閉じる遮蔽板３５を有する。遮蔽板３５には、機械室３に蒸発トレー２０を出し入れするための出入口３７を設けてある。機械室３に蒸発トレー２０を設置した状態において、蒸発トレー２０の前方部分が、出入口３７を内方側から実質的に封口している。機械室３において、蒸発トレー２０内のドレンを積極的に蒸発させるための蒸発促進手段を備えている。【選択図】        図２
2004239527.tif 000002
【特許請求の範囲】
【請求項１】
貯蔵室２の下方に機械室３が区画形成されているケース本体１と、
上面が開口する浅皿状の蒸発トレー２０と、
機械室３の所定位置に、蒸発トレー２０を位置決めセットするための位置決め手段と、
機械室３に設置した蒸発トレー２０に、貯蔵室２からのドレンを導くドレン導出手段と、
機械室３の前面において、蒸発トレー２０の設置領域に臨む開口部分を閉じる遮蔽板３５と、
機械室３に蒸発トレー２０を出し入れするために、遮蔽板３５に設けられた出入口３７とを備えており、
機械室３に蒸発トレー２０を設置した状態において、蒸発トレー２０の前方部分が、出入口３７を内方側から実質的に封口しており、
機械室３において、蒸発トレー２０内のドレンを積極的に蒸発させるための蒸発促進手段を有する冷蔵ショーケース。
【請求項２】
機械室３の左右の一側に、凝縮器２１と、ファン２２と、圧縮機２３とを含む空冷式の冷凍ユニットが設置されていて、ファン２２で冷却用外気を機械室３の前面側から取り入れて機械室３の後方から外部に排出しており、
機械室３の左右の他側に、蒸発トレー２０の配置領域が設定されている請求項１記載の冷蔵ショーケース。
【請求項３】
蒸発促進手段は、蒸発トレー２０の開口上面に機械室３の暖気を吹き当てる送風ファン４７と、この送風ファン４７を回転駆動する駆動源とを含んでいる請求項２記載の冷蔵ショーケース。
【請求項４】
蒸発トレー２０は、四角形の底壁２５と、底壁２５の外周から立ち上がる周側壁２６と、周側壁２６の上端周縁から外側に張り出し形成されたフランジ２７とからなる浅皿状に形成されており、
機械室３に蒸発トレー２０を設置した状態において、前記フランジ２７の前方部分２７ａが遮蔽板３５の出入口３７の開口上縁に近接して遮蔽板３５の外側に一部突出している請求項３記載の冷蔵ショーケース。
【請求項５】
ケース本体１には、遮蔽板３５を含めて機械室３の前面外側を全面的に覆う化粧パネル３９が着脱自在に取り付けられている請求項４記載の冷蔵ショーケース。
【請求項６】
化粧パネル３９には、ファン２２で冷却用外気を機械室３に導く通気路４５が設けられている請求項５記載の冷蔵ショーケース。
【請求項７】
ケース本体１は、機械室３の底壁となる架台４を介して床面６に支持脚７で設置されており、
架台４と床面６との間に通風隙間９が形成されており、
化粧パネル３９の下部には、出入口３７から前面外側に出た暖気を通風隙間９に導く風道４６が設けられている請求項６記載のショーケース。
【発明の詳細な説明】
【０００１】
【発明の属する技術分野】
本発明は、貯蔵室の下方に位置する機械室に、貯蔵室からのドレンを受けて蒸発させるための蒸発トレーを備えた冷蔵ショーケースに関する。
【０００２】
【従来の技術】
ケース本体の上方に貯蔵室が、下方に機械室が区画形成された冷蔵ショーケースにおいて、機械室にドレンパンを設置しておき、貯蔵室からのドレンをドレンパンに受けて回収することは、特許文献１および特許文献２に公知である。そこではドレンパンにドレンが溜まると、機械室の前面外側にドレンパンの全体を引き出して内部のドレンを捨てる方式を採る。この方式では、機械室にドレンパンを頻繁に出し入れしなければならずその作業が面倒である。
【０００３】
そこで特許文献３では、先のドレンパンを蒸発トレーにし、機械室の暖気を蒸発トレーに吹き当てることにより、蒸発トレー内のドレンを蒸発させる形式が、従来例として開示されている。これによれば、蒸発トレーの出し入れ作業を省略できるやにみえる。
【０００４】
【特許文献１】
特開平６−３００４２５号公報（請求項１、図１、図２）
【特許文献２】
特開２００１−２７２１５８号公報（請求項１、図６）
【特許文献３】
特開２００２−４８４５８号公報（段落番号０００２、０００３）
【０００５】
【発明が解決しようとする課題】
しかし、蒸発トレー内のドレンの蒸発効率には限界がある。時間当たりに出るドレンの量も一定ではない。そのため、蒸発トレーにドレンが溢れる事態が時に発生する。その場合には蒸発トレーを機械室から取り出して、蒸発トレー内のドレンを捨てる作業が強いられることになる。そこで特許文献３では、ドレン蒸発効率をアップするための特殊な蒸発機構を採用して、蒸発トレーを機械室から取り出す作業手間の省略を狙っている。しかし、特殊な蒸発機構を付加する分だけ構造が複雑化し、製作コストが高く付くことになる。
【０００６】
そこで本発明では、蒸発トレー内のドレンを機械室の暖気で蒸発させることにより、機械室になるべく蒸発トレーを設置したまま労なく運転できる冷蔵ショーケースを得るにある。
【０００７】
そのうえで本発明の目的は、蒸発効率不足などにより蒸発トレーにドレンが溢れる事態に陥ると、それを予測ないし検出することにより、機械室からドレン入りの蒸発トレーを取り出してドレンを捨てることができる冷蔵シーョケースを得るにある。
【０００８】
その際に本発明の目的は、機械室への蒸発トレーの出し入れが容易に行えるものでありながらも、全体としてシンプルな構造にすることにより、メンテナンスを要さず低コストで製造できる冷蔵ショーケースを得るにある。
【０００９】
【課題を解決するための手段】
本発明の冷蔵ショーケースは、貯蔵室２の下方に機械室３が区画形成されているケース本体１と、上面が開口する浅皿状の蒸発トレー２０と、機械室３の所定位置に、蒸発トレー２０を位置決めセットするための位置決め手段と、機械室３に設置した蒸発トレー２０に、貯蔵室２からのドレンを導くドレン導出手段と、機械室３の前面において、蒸発トレー２０の設置領域に臨む開口部分を閉じる遮蔽板３５と、機械室３に蒸発トレー２０を出し入れするために、遮蔽板３５に設けられた出入口３７とを備えており、機械室３に蒸発トレー２０を設置した状態において、蒸発トレー２０の前方部分が、出入口３７を内方側から実質的に封口しており、機械室３において蒸発トレー２０内のドレンを積極的に蒸発させるための蒸発促進手段を有する。
【００１０】
具体的には、機械室３の左右の一側に、凝縮器２１と、ファン２２と、圧縮機２３とを含む空冷式の冷凍ユニット設置されていて、ファン２２で冷却用外気を機械室３の前面側から取り入れて機械室３の後方から外部に排出しており、機械室３の左右の他側に、蒸発トレー２０の配置領域が設定されている。
【００１１】
蒸発促進手段は、蒸発トレー２０の開口上面に機械室３の暖気を吹き当てる送風ファン４７と、この送風ファン４７を回転駆動する駆動源とを含んでいる。
【００１２】
蒸発トレー２０は、四角形の底壁２５と、底壁２５の外周から立ち上がる周側壁２６と、周側壁２６の上端周縁から外側に張り出し形成されたフランジ２７とからなる浅皿状に形成されており、機械室３に蒸発トレー２０を設置した状態において、前記フランジ２７の前方部分２７ａが遮蔽板３５の出入口３７の開口上縁に近接して遮蔽板３５の外側に一部突出している。
【００１３】
ケース本体１には、遮蔽板３５を含めて機械室３の前面外側を全面的にを覆う化粧パネルが容易に着脱できるよう取り付けられている。
【００１４】
化粧パネル３９には、ファン２２で冷却用外気を機械室３に導く通気路４５が設けられている。
【００１５】
ケース本体１は、機械室３の底壁となる架台４を介して床面６に支持脚７で設置されており、架台４と床面６との間に通風隙間９が形成されており、化粧パネル３９の下部には、出入口３７から前面外側に出た暖気を通風隙間９に導く風道４６が設けられている。
【００１６】
【発明の作用効果】
本発明によれば、蒸発トレー２０に導かれたドレンは、蒸発促進手段で積極的に蒸発されている。蒸発トレー２０にドレンが溢れる状態になると、遮蔽板３５から蒸発トレー２０を引き出し、トレー内部のドレンを捨てる。そして、空の蒸発トレー２０を出入口３７から機械室３に差し入れ直すことになる。蒸発トレー２０内のドレンは、蒸発促進手段で積極的に蒸発させているので、蒸発トレー２０にドレンが溢れる状態になる頻度は少なくなり、ドレン回収の手間を相当に省力化できる。蒸発トレー２０は、遮蔽板３５を取り外すまでもなく、出入口３７を利用して簡単に出し入れできるから、蒸発促進手段これ単独で蒸発処理する形態に比べて蒸発促進手段は簡易な構造で足り、全体として安価に製造できる。
【００１７】
機械室３に蒸発トレー２０を設置した運転中において、前記出入口３７は蒸発トレー２０の前方部分で内部側から実質的に封口されている。つまり、出入口３７は、これを閉じる蓋などを備えておらず開き放しになっている。それでも出入口３７から機械室３の暖気が前方外側へ溢出する事態を必要最小限に抑えることができる。
【００１８】
蒸発促進手段としては、蒸発トレー２０の閉口上面に送風ファン４７で機械室３の暖気を吹き当てるシンプルなものにできる。この蒸発促進手段で足らざる蒸発処理能力は、前記出入口３７から蒸発トレー２０を取り出すことで補うことができるからである。
【００１９】
蒸発トレー２０が、四角形の底壁２５と周辺壁２６と上端外周のフランジ２７とからなる浅皿状に形成されており、フランジ２７の前方部分２７ａが出入口３７の閉口上縁に近接する状態で遮蔽板３５の外側に一部突出していると、出入口３７の前面外側からフランジ２７の前方部分２７ａに指先を掛けて蒸発トレー２０を引き出し操作できる。従って、機械室３への蒸発トレー２０の出し入れが更に安易なものとなる。
【００２０】
機械室３の前面外側に化粧パネル３９が脱着自在に取り付けられていると、この化粧パネル３９で遮蔽板３５やその出入口３７を丸ごとカバーして外観上の体裁を向上できる。出入口３７から蒸発トレー２０を取り出すときは、機械室３の前面から化粧パネル３９をいったん取り外すことになる。そのため、機械室３の前面外側に化粧パネル３９は容易に着脱できるようになっている。
【００２１】
機械室３に前記ファン２２で冷却用外気を機械室３の前面外側から取り入れるに際し、化粧パネル３９に通気路４５が設けられていると、外気を通気路４５に通して機械室３に設置した冷凍ユニットに導入できる。
【００２２】
遮蔽板３５の出入口３７は、蒸発トレー２０の前方部分で一部塞がれた状態にあるが、それでも出入口３７を閉じる蓋手段を備えていない。従って、暖気の一部が出入口３７を介して機械室３の前方外側に溢出するおそれがある。その場合は、暖気が化粧パネル３９で前方外側へ直に吹き出るのを抑止しつつ、吹き出た暖気は化粧パネル３９の下方の風道４６を利用して床面６との間の通風隙間９に排出することができる。機械室３からこれの後方に排出される暖気の主流は、ケース本体１の後側面と建屋の壁面１０との間の排気路１２を流れて上昇するので、前記通風隙間９に到った暖気の一部も排気路１２へと引き込まれる。
【００２３】
【発明の実施の形態】
図面は本発明に係る冷蔵ショーケースの実施例を示す。図２においてケース本体１は、断熱壁を有して前面が開口する上方の貯蔵室２と、貯蔵室２の下方に区画形成された機械室３とを含む。
【００２４】
ケース本体１は、機械室３の底壁となる架台４を介して床面６に支持脚７で高さ調節可能に設置される。架台４と床面６との間には通風隙間９が形成されている。ケース本体１の後側面と建屋の壁面１０との間には、スペーサ１１を介して排気路１２が通風隙間９と通じるよう形成されている。
【００２５】
貯蔵室２の開口前面はガラス扉１３で開閉できる。貯蔵室２には食品載置棚１５が上下多段に設けられている。この棚１５上に食品を開口前面側から出し入れできる。貯蔵室２の上部には、冷却サイクルを構成する蒸発器１６およびそのファンモータ１７が設置されている。
【００２６】
機械室３は、前面が左右間にわたって開口している。機械室３の後壁１８には前記排気路１２に通じる排風口１９が設けられている。機械室３の内部には、前記冷却サイクルを構成する空冷式の冷凍ユニットが納まる右側領域と、蒸発トレー２０が納まる左側領域とに分かれている。
【００２７】
冷凍ユニットは、機械室３の右側領域において、図２に示すごとく前方から順に配された凝縮器２１と、凝縮器用のファン２２と、圧縮機２３とからなる。凝縮器２１の空気取入口は機械室３の前面に臨んでいる。機械室３では蒸発器１６で吸熱した冷媒が凝縮器２１で冷却される。すなわち、ファン２２で凝縮器２１に冷却用の外気が取り入れられる。外気は冷媒と熱交換して温められることにより、機械室３に暖気が発生する。その暖気は機械室３の後面側の排風口１９から排気路１２へ排出される。
【００２８】
蒸発トレー２０は、図１に示すごとくアクリルなどの樹脂成形品からなり、前後方向に長い四角形の底壁２５と、底壁２５の外周縁から立ち上がる周側壁２６と、周側壁２６の上端周縁から外側に張り出し形成された水平のフランジ２７とからなる浅皿状に形成されている。
【００２９】
蒸発トレー２０は、機械室３の左側領域の所定位置に、位置決め手段で位置決めセットされる。その位置決め手段として、機械室３の底面、すなわち前記架台４の上面左右には、図３に示すごとく左右一対のガイド部材２９が設けられており、これにて蒸発トレー２０は、機械室３の前方から前後方向にのみ左右方向へ位置ずれすることなくスライド自在に出し入れできる。機械室３に対して蒸発トレー２０は、フランジ２７の後端が機械室３の後壁１８に受け止められることで後方へのスライド限界が規制されている。
【００３０】
貯蔵室２と機械室３とを区画する隔壁３０には、図２に示すごとくドレン回収口３１が設けられている。貯蔵室２で発生したドレンは、ドレン回収口３１に流れ込む。機械室３の左側領域において、ドレン回収口３１に縦長のドレン管３２の上端が接続されている。ドレン管３２の下端は蒸発トレー２０の直上に位置している。貯蔵室２からのドレンは、ドレン回収口３１、ドレン管３２ついで蒸発トレー２０に導き出される。
【００３１】
機械室３内の閉口前面の右側領域には、図１に示すごとく凝縮器２１の空気取入口に臨ませて通気パネル３３が取り付けられている。通気パネル３３は凝縮器２１側に一体的に取り付けられている場合もある。機械室３の開口前面の左側領域には遮蔽板３５がビス３４で取り付けられている。
【００３２】
この遮蔽板３５には、下方の中央部位に左右横長の出入口３７が形成されており、この出入口３７を介して蒸発トレー２０が機械室３にこれの前面外側から出し入れされる。
【００３３】
ケース本体１には、通気パネル３３および遮蔽板３５を含めて機械室３の前面外側を全面的に覆うステンレスなどの金属板製の化粧パネル３９が着脱自在に取り付けられる。
【００３４】
化粧パネル３９には、ケース本体１に対する着脱の容易性が要求される。そのために、ケース本体１には、機械室３の開口前面の左右枠部に、上向きＬ字状の受け具４０を下段に設けるとともに、マグネット４１を上段に設けてある。一方、化粧パネル３９の内側下部には、左右端に前記受け具４０で受け止められる係止片４２を設けてある。これにて、化粧パネル３９は、係止片４２を受け具４０に上方からチョン掛けして支持したのち、上部をケース本体１側に倒すとマグネット４１でケース本体１にこれの機械室３の前面外側をカバーする状態にマグネットキャッチ方式で取り付けることができる。
【００３５】
化粧パネル３９には、上下の中央部位に吸気口４３を左右間にわたって設けてあり、化粧パネル３９の内部にファン２２で冷却用外気を吸気口４３から取り入れて機械室３に導く通気路４５が設けられている。
【００３６】
化粧パネル３９の下部には、前記出入口３７から前面外側に溢出するかも知れない暖気を通風隙間９に導く風道４６が設けられている。
【００３７】
機械室３の左側領域、すなわち蒸発トレー設置領域の後方上部には蒸発トレー２０内のドレンを機械室３の暖気で積極的に蒸発させるための蒸発促進手段が設けられている。この蒸発促進手段は、蒸発トレー２０の開口上面に機械室３の暖気を吹き当てる送風ファン４７と、この送風ファン４７を回転駆動するモータ（駆動源）とを含んでいる。
【００３８】
機械室３の所定位置に蒸発トレー２０を設置した図４の状態において、前記フランジ２７の前方部分２７ａは、遮蔽板３５の出入口３７の開口上縁に近接して遮蔽板３５の外側に一部突出している。そして、出入口３７およびフランジ２７の前方部分２７ａの前方外側も化粧パネル３９でカバーされている。
【００３９】
機械室３の冷凍ユニットの運転中は、前記ファン２２で冷却用外気が取り入れられて凝縮器２１および圧縮機２３が冷却されている。これに伴い機械室３に暖気が発生する。その暖気は排風口１９ついで排気路１２へ流れ出る。機械室３の暖気の一部は、送風ファン４７で蒸発トレー設置領域に引き込まれ、その暖気が図４に示すごとく蒸発トレー２０の開口上面にこれの後方側から前方に向けて吹き付けられる。これで蒸発トレー２０内のドレンが蒸発する。
【００４０】
蒸発トレー２０の前方側へ強制送風された暖気は、遮蔽板３５で受け止められて上昇し、排風口１９ついで排気路１２に導かれてケース本体１側の排気路１２に出る。このとき、出入口３７は開放し直しであるから、暖気の一部が出入口３７から機械室３の前方外側へ漏れ出ることがあるが、この漏出暖気は化粧パネル３９の下部で受け止められ、前記風道４６、通風隙間９を介して排気路１２へと流れ出る。なお、冷却用のファン２２の吸引力で出入口３７から出た暖気が上昇して前記通気路４５に混入するかも知れないが、これは冷凍ユニットの冷却に何等支障を生ぜしめるものではない。
【００４１】
いま、送風ファン４７を含む蒸発促進手段によるも、蒸発トレー２０内のドレンを蒸発し切れずにドレンが溢れる状態になったとする。これが適当な手段で検出されると、化粧パネル３９のみをいったん取り外し、蒸発トレー２０の全体を出入口３７からケース本体１の前方外側に抜き出し、内部のドレンを捨てる。次に、前記出入口３７から空の蒸発トレー２０を機械室３に差し込んで定位置にセットすればよい。その後に、化粧パネル３９を元通り取り付けることにより、蒸発トレー２０の出し入れ作業は終わる。
【００４２】
図示例の冷凍ショーケースの全容は以上のようになっているが、送風ファン４７を含む蒸発促進手段は、機械室３において蒸発トレー２０の上方前方部位に設けられていてもよい。
【００４３】
機械室３に蒸発トレー２０を位置決めセットする手段としては、機械室３の底面に蒸発トレー２０が設置される前後移動自在な移動レールによるものであってもよい。
【００４４】
化粧パネル３９は、機械室３の前面外側に安易に着脱できるものであれば、例えば図示例のマグネット４１に代えて化粧パネル３９の上部をねじ止めする形式でもよい。化粧パネル３９はこれの上端側を機械室３の前面外側にチョン掛けするだけでもよい。
【図面の簡単な説明】
【図１】ケース本体の機械室の前面および化粧パネルを示す斜視図
【図２】要部の縦断側面図
【図３】要部の正面図
【図４】要部の縦断側面図
【図５】要部の拡大縦断側面図
【符号の説明】
１  ケース本体
２  貯蔵室
３  機械室
４  架台
６  床面
７  支持脚
９  通風隙間
２０  蒸発トレー
２１  凝縮器
２２  ファン
２３  圧縮機
２５  蒸発トレーの底壁
２６  蒸発トレーの周側壁
２７  蒸発トレーのフランジ
２７ａ  フランジの前方部分
３５  遮蔽板
３７  出入口
３９  化粧パネル
４６  風道
４７  送風ファン
【図１】
2004239527.tif 000003
【図２】
2004239527.tif 000004
【図３】
2004239527.tif 000005
【図４】
2004239527.tif 000006
【図５】
2004239527.tif 000007